(57)【特許請求の範囲】
【請求項１】
ロールペーパーを収納すると共に、一枚の薄板紙から断裁加工と折れ線加工と貼合せ加工を施して形成される使い捨てタイプのロールペーパーボックスであって、
下部貼合せブランク部と、裏面ブランク部と、底面ブランク部と、前面ブランク部と、上面ブランク部と、上部貼合せブランク部と、開閉カバー部と、一巻のロールペーパーと、から構成されて成り、
前記裏面ブランク部は、後側に前記下部貼合せブランク部を配すると共に前側に前記底面ブランク部を配し且つ両側に糊代フラップを形成し、該糊代フラップの両側端中央位置には前記ロールペーパーを軸支する貼合わせ支持片を突設して成り、
前記底面ブランク部は、前側に前記前面ブランク部を配すると共に両側に側面フラップを形成して成り、
前記前面ブランク部は、前側に前記上面ブランク部を配すると共に両側に糊代フラップを形成し、該糊代フラップの両側端中央位置には前記ロールペーパーを軸支する貼合わせ支持片を突設して成り、
前記上面ブランク部は、前側に前記上部貼合せブランク部を配すると共に両側に側面フラップを形成し、上面には打ち抜きスリットによって形成される大口の開口部を形成し、該大口の開口部の周縁部前方には可剥離性接着層を設けて成り、
前記開閉カバー部は、後側に前記上部貼合せブランク部を配すると共に前方には可剥離性接着層を設ける補強フラップを形成して成り、
前記ロールペーパーは、ロール幅を横断すると共に送り出し方向に一定の間隔を空けたミシン目スリットを設けて成り、
前記上面ブランク部に大口の開口部を設けることによって、前記ロールペーパーの巻き込みならびに詰りの回復作業を容易なものとし、開口部から引き出される前記ロールペーパーを前記開閉カバー部の補強フラップで上方から押し付けることによって、前記ロールペーパーの回転を阻止してミシン目スリットの切り離しを容易なものとし、前記前面ブランク部と前記裏面ブランク部の糊代フラップに設けられる前記貼合わせ支持片同士を前記ロールペーパーの軸芯に差し込んだ状態で対向して当接させることによって、前記ロールペーパーの回転と支持状態を安定的且つ強固にしたことを特徴とするロールペーパーボックス。
【請求項２】
紙製または合成樹脂製から成る前記ロールペーパーボックスを、上部が開口する合成樹脂製の透明なカバーボックスに収納し、該ロールペーパーボックスとカバーボックスの間に形成される隙間空間に表示ボードを差し込んで、ボード掲示機能を備えたことを特徴とする請求項１記載のロールペーパーボックス。
【発明の詳細な説明】
【技術分野】
【０００１】
一枚の薄板紙から一個単位毎に製造される、使い捨てタイプのロールペーパーボックスに関する。
【背景技術】
【０００２】
従来から日常的に使用されているティッシュペーパーは、直方体の収納ボックスに折り重ねたティッシュペーパーを収納し、該ティッシュペーパーを必要とする分だけ一枚毎に引き出して使用するものであるが、該ティッシュペーパーを使用する上で、ティッシュペーパーボックスの占有スペースが大きい問題や、繰り出されるティッシュペーパーの使い勝手や使用量の適正化の問題や、ロールペーパーの単価と比較して購入コストが割高になるなどの問題が指摘されるものであった。
【０００３】
また従来のロールペーパーボックスの多くは、厚めの板紙またはダンボール紙を利用した組み立て方式であるため、重量的に重く嵩張り易い上、製造原価が高騰する材料的な問題と、組み立て突合せ面に隙間ができることによって湿気や粉塵が収納ボックス内に入り込んで衛生的でない問題があった。また、ロールペーパーの軸芯の支持構造がないものは、ロールペーパーの切り離しを不安定なものとし、支持片が組み合わされる構造のものは、機械化による収納ボックスの組立作業を困難なものとするため、製造原価を圧迫することで大量生産ができないものであった。さらにロールペーパーの切断を金属製のカッターによって行う構造は、ケガなどの安全性の問題と分別廃棄におけるリサイクル性の問題が生じるものであった。またさらに取り出し口が小さく側面に設けられているものは、取り出し口が小さいことによってロールペーパーが逆回転した場合の回復作業を困難なものとし、側面のみに取り出し口が設けられているものは、ロールペーパーの回転を容易に阻止することができないためロールペーパーの切断機能を不安定なものとするなどの問題点があった。
【０００４】
上記における従来のティッシュペーパーボックスならびにロールペーパーボックスの問題点を解決し、さらに現在利用されているティッシュペーパーと同様に広く一般的に使用される様になるには、以下に示す（１）〜（１０）の使用条件と解決手段を満たすことが望まれるものである。
（１）省スペース化とコンパクト化が図られる構造であること。
ロールペーパーを使用して、ティッシュペーパーの据置スペース以下の省スペース化とコンパクト化を図る手段を採る。
（２）使い勝手が良く、使用量の適正化が図られる構造であること。
必要とする長さ分だけ自由に引き出すことができるロール繰り出し手段を採る。
（３）商品単価の低廉が図られる構造であること。
ロールペーパーと収納ボックスについて、一枚の薄板紙から一個単位毎に製造される使い捨てタイプの大量生産を可能とする手段を採る。
（４）分別廃棄や環境安全性に優れている構造であること。
収納ボックスが一枚の薄板紙から製造され、且つ、金属製のカッターや合成樹脂保護フィルムなどが使用されない分別廃棄性や環境安全性に配慮した手段を採る。
（５）衛生的ならびに気密性が高い構造であること。
ロールペーパーの上面を開閉カバーで覆う構造と、組み合わせ面に隙間が発生しない貼合わせ構造の手段を採る。
（６）ロールペーパーのミシン目の切り離しが容易に行える構造であること。
収納ボックスの上面に設けられた開口部から引き出されるロールペーパーを上方から押さえ込んでロールペーパーの一端を引っ張ることによって、ロールペーパーのミシン目の切り離しが容易に行える手段を採る。
（７）ロールペーパーの巻き込みならびに詰りを容易に回復できる構造であること。
収納ボックスの上面に大口の開口部を設けることによって、ロールペーパーが収納ボックス内に巻き込まれたり詰った場合に、開口部に指を差し込んで回復することができる手段を採る。
（８）ロールペーパーが収納ボックス内で安定的且つ強固に保持される構造であること。
貼合わせ支持片同士をロールペーパーの軸芯に差し込んだ状態で対向して当接させることによって、ロールペーパーの回転と支持状態を安定的且つ強固にする手段を採る。
（９）デザイン性に優れている構造であること。
機能性を備える必要最小限の大きさと、凹凸のないシンプルな形状とする手段を採る。
（１０）使用後のリサイクル利用が図られること。
紙製または合成樹脂製から成るロールペーパーボックスを上部が開口する合成樹脂製の透明なカバーボックスに収納し、該ロールペーパーボックスとカバーボックスの間に形成される隙間空間に表示ボードを差し込んでボード掲示機能を備えた手段を採る。
【０００５】
従来より、上記の使用条件を満たすロールペーパーの提案がなされている。例えば、ロールペーパーがカッター部を形成する繰り出し容器に収納されて摘まみ出し易いようにロールペーパーの先端部を露出した「折り畳み可能なロールペーパー繰り出し容器」（特許文献１）が提案されている。
【０００６】
しかしながら、上記「折り畳み可能なロールペーパー繰り出し容器」の提案は、ロールペーパーが使用されて巻き径が小さくなった場合、ロールペーパーが何らかの要因で逆回転して詰った状態でロールペーパーを引き出そうとすると、上方の嵌め込まれている蓋板を一旦引き起こして回復作業を行わなければならないこと、またロールペーパーの巻き径が小さくなった時、ロールペーパーが繰り出し容器内で前後に移動して安定的且つ強固に支持されないため引き出し行為が容易に行われないこと、さらに繰り出し容器を形成する板紙の厚みがカッターの形状から少なくとも１．５ｍｍ以上の厚みのある厚紙を使用しなければならないことから、加工コストならびに材料費が割高になる問題があるものであった。
【０００７】
また、コンパクトでディスペンサー機能を有する「トイレットロール製品」（特許文献２）が提案されている。
【０００８】
しかしながら、上記「トイレットロール製品」の提案は、ロールペーパーが使用されて巻き径が小さくなった場合、ロールペーパーが何らかの要因で逆回転して詰った状態においてロールペーパーを容易に引き出すことができなくなる構造であり、またロールペーパーを必要とするミシン目の範囲内で切断する場合、ロールペーパーの回転を阻止する手段が設けられていないため、ロールペーパーを容易に切り離すことができない問題があるものであった。
【０００９】
また、ロールペーパーの支持片を強固に起立させ、ロールペーパーを宙に浮かせた状態で安定的且つ強固に軸支する「ロールペーパーの繰り出し容器」（特許文献３）が提案されている。
【００１０】
しかしながら、上記「ロールペーパーの繰り出し容器」の提案は、ロールペーパーの支持片を強固に起立させる組み合わせ構造であることから、繰り出し容器の各面を組み立てる作業が複雑になり、機械化による組み立て生産が不可能であること、またロールペーパーを必要とする長さの範囲内で切断する場合、取り出し口が繰り出し容器の側面に設けられていることから、ロールペーパーの回転を阻止する操作がやりづらくロールペーパーを容易に切断できないこと、さらに金属製のカッターが設けられることによって、安全性や分別廃棄性に問題が残るものであった。
【００１１】
また、ロールペーパーの支持片をロールペーパー用パッケージの内側に設けられた支持片に軸支させ、収納ならびに取り出しを容易にした「ロールペーパー用パッケージ」（特許文献４）が提案されている。
【００１２】
しかしながら、上記「ロールペーパー用パッケージ」の提案は、ロールペーパーボックスを形成する各面が組み合わせ構造であることから、各面の組み合わせ面に隙間が生じて湿気や粉塵が入り易い構造を有し、取り出し口がパッケージの上面に設けられていることによって、ロールペーパーが完全に露出して衛生的でないことや、開口部が必要最小限であることから、ロールペーパーが何らかの要因で逆回転して詰った状態になった場合、ロールペーパーを容易に引き出すことができないものであり、さらにロールペーパーの回転を阻止する手段が講じられていないことによって、ロールペーパーを容易に切断できないなどの問題があった。
【００１３】
また、ロールペーパーの繰り出し容器を扁平に折り畳むことができる「折り畳み可能なロールペーパーの繰り出し容器」（特許文献５）が提案されている。
【００１４】
しかしながら、上記「折り畳み可能なロールペーパーの繰り出し容器」の提案は、比較的厚みのある板紙で形成される繰り出し容器が別個に提供される収納容器であって、ロールペーパーと収納ボックスが一個単位毎に包装されて使い捨てされるタイプの構造ではないため、容器自体が嵩張ると共に加工コストならびに材料費が割高になり、また繰り出し容器を形成する各面が組み合わせ構造であることから、各面の組み合わせ面に隙間が生じて、湿気や粉塵が入り易い構造を有するものである。さらには、折り曲げられた支持翼がロールペーパーの軸芯に安定して起立する状態を維持する構造が、比較的厚みのある板紙で形成される組み合わせ面による当接支持構造であるため、安定性に欠けるものであった。
【００１５】
また、組み立て式のロールシート収納箱の内側にロールシートを支持する係止フラップを設けてロールシートを円滑に回転させる「ロールシート収納箱」（特許文献６）が提案されている。
【００１６】
しかしながら、上記「ロールシート収納箱」の提案は、ロールペーパーボックスを形成する各面が組み合わせ構造であることから、各面の組み合わせ面に隙間が生じて湿気や粉塵が入り易い構造を有し、また取り出し口がパッケージの上面に設けられていることによって、ロールペーパーが完全に露出して衛生的でないことや、ロールペーパーの回転を阻止する手段がロールペーパーの円周面を直接押さえ込まなければならない構造であることから、ロールペーパーの巻き径が小さくなった時にロールペーパーの回転を阻止する手段が講じられにくく、ロールペーパーを容易に切断できない問題があった。
【００１７】
本出願人は、以上のような従来のロールペーパーボックスにおける問題点に着目し、それらの問題点を簡便且つ容易な手段で従来のティッシュペーパーと同様に一般的に広く利用されるようにできないものかという着想の下、前述した（１）〜（１０）の使用条件の全てを満たす一枚の薄板紙から一個単位毎に製造される使い捨てタイプのロールペーパーボックスを開発し、本発明における「ロールペーパーボックス」の提案に至るものである。
【先行技術文献】
【特許文献】
【００１８】
【特許文献１】実開平７-１１９９６号公報
【特許文献２】特開２０１１-５０５１０号公報
【特許文献３】実用新案登録第３１３２８９３号公報
【特許文献４】実開平６-３８２２号公報
【特許文献５】実用新案登録第３０２６２６０号公報
【特許文献６】特開２００７-２２３６４７号公報
【発明の概要】
【発明が解決しようとする課題】
【００１９】
本発明は上記問題点を鑑み、従来から日常的に使用されているティッシュペーパーに替わって、省スペース化と、使い勝手の良さや使用量の適正化と、商品単価の低廉化を図る一枚の薄板紙から一個単位毎に製造される使い捨てタイプのロールペーパーボックスの提供を図ることを課題とする。
【課題を解決するための手段】
【００２０】
上記課題を解決するため、本発明のロールペーパーボックスは、ロールペーパーを収納すると共に、一枚の薄板紙から断裁加工と折れ線加工と貼合せ加工を施して形成される使い捨てタイプのロールペーパーボックスであって、下部貼合せブランク部と、裏面ブランク部と、底面ブランク部と、前面ブランク部と、上面ブランク部と、上部貼合せブランク部と、開閉カバー部と、一巻のロールペーパーと、から構成されて成り、前記裏面ブランク部は、後側に前記下部貼合せブランク部を配すると共に前側に前記底面ブランク部を配し且つ両側に糊代フラップを形成し、該糊代フラップの両側端中央位置には前記ロールペーパーを軸支する貼合わせ支持片を突設して成り、前記底面ブランク部は、前側に前記前面ブランク部を配すると共に両側に側面フラップを形成して成り、前記前面ブランク部は、前側に前記上面ブランク部を配すると共に両側に糊代フラップを形成し、該糊代フラップの両側端中央位置には前記ロールペーパーを軸支する貼合わせ支持片を突設して成り、前記上面ブランク部は、前側に前記上部貼合せブランク部を配すると共に両側に側面フラップを形成し、上面には打ち抜きスリットによって形成される大口の開口部を形成し、該大口の開口部の周縁部前方には可剥離性接着層を設けて成り、前記開閉カバー部は、後側に前記上部貼合せブランク部を配すると共に前方には可剥離性接着層を設ける補強フラップを形成して成り、前記ロールペーパーは、ロール幅を横断すると共に送り出し方向に一定の間隔を空けたミシン目スリットを設けて成り、前記上面ブランク部に大口の開口部を設けることによって、前記ロールペーパーの巻き込みならびに詰りの回復作業を容易なものとし、開口部から引き出される前記ロールペーパーを前記開閉カバー部の補強フラップで上方から押し付けることによって、前記ロールペーパーの回転を阻止してミシン目スリットの切り離しを容易なものとし、前記前面ブランク部と前記裏面ブランク部の糊代フラップに設けられる前記貼合わせ支持片同士を前記ロールペーパーの軸芯に差し込んだ状態で対向して当接させることによって、前記ロールペーパーの回転と支持状態を安定的且つ強固にする手段を採る。
【００２１】
また本発明のロールペーパーボックスは、紙製または合成樹脂製から成る前記ロールペーパーボックスを、上部が開口する合成樹脂製の透明なカバーボックスに収納し、該ロールペーパーボックスとカバーボックスの間に形成される隙間空間に表示ボードを差し込んで、ボード掲示機能を備えた手段を採る。
【発明の効果】
【００２２】
本発明のロールペーパーボックスは、従来のティッシュペーパーと同様に広く一般的に消費されるようにするため、下記の使用条件と解決手段を備えて、下記に示すような優れた効果を達成するものである。
（１）省スペース化とコンパクト化が図られる構造であること。
本発明のロールペーパーボックスによれば、下部貼合せブランク部と、裏面ブランク部と、底面ブランク部と、前面ブランク部と、上面ブランク部と、上部貼合せブランク部と、開閉カバー部と、で形成される必要最小限の形状と寸法を有するロールペーパーボックスと、一巻のロールペーパーを使用して、ティッシュペーパーの据置スペース以下の省スペース化とコンパクト化が図られるものである。
【００２３】
（２）使い勝手が良く、使用量の適正化が図られる構造であること。
本発明のロールペーパーボックスによれば、ロールペーパーの軸心を軸支する貼り合せ支持片同士を、ロールペーパーの軸芯に差し込んだ状態で対向して当接させることによって、ロールペーパーの回転と支持状態を安定的且つ強固にする構造を有すると共に、使用者が必要とする長さ分だけ自由に引き出すことができる使い勝手が良い回転方式を採用して、使用量の適正化が図られるものである。
【００２４】
（３）商品単価の低廉化が図られる構造であること。
本発明のロールペーパーボックスによれば、ロールペーパーボックス全体が他の構成材料を含まない一枚の薄板紙から、断裁加工と折れ線加工と貼合せ加工を施して形成され、さらにロールペーパーと収納ボックスが一個単位毎に包装される形態と同時に使い捨てタイプの大量生産を可能とすることで、商品単価の低廉化が図られるものである。
【００２５】
（４）分別廃棄や環境安全性に優れている構造であること。
本発明のロールペーパーボックスによれば、収納ボックス全体が一枚の薄板紙から製造され、且つ、金属製のカッターや合成樹脂保護フィルムなどが使用されていないことから、分別廃棄性や環境安全性に配慮したロールペーパーボックスの普及が図られるものである。
【００２６】
（５）衛生的ならびに密閉性が高い構造であること。
本発明のロールペーパーボックスによれば、上面ブランク部の上面には大口の開口部を形成し、該開口部から露出するロールペーパーの上部を開閉カバー部で常に覆っているため、ロールペーパーの表面にゴミなどが付着しづらい構造であって、組み合わせ面に隙間が発生しない張り合わせ手段が図られるものである。
【００２７】
（６）ロールペーパーのミシン目の切り離しが容易に行える構造であること。
本発明のロールペーパーボックスによれば、開口部から引き出されるロールペーパーについて、開閉カバー部の補強フラップで収納ボックスの上面に設けられた取り出し口から引き出されたロールペーパーを上方から押さえ込んでロールペーパーの回転を阻止しつつ該引き出されたロールペーパーの一端を引っ張ることによって、ロールペーパーのミシン目スリットの切り離しを容易とする手段が図られるものである。
【００２８】
（７）ロールペーパーの巻き込みならびに詰りを容易に回復できる構造であること。
本発明のロールペーパーボックスによれば、収納ボックスの上面に大口の開口部を設けることで、該大口の開口部に指を差し込んで回復することができる手段が図られるものである。
【００２９】
（８）ロールペーパーが収納ボックス内で安定的且つ強固に保持される構造であること。
本発明のロールペーパーボックスによれば、ロールペーパーボックスの内部において、当接状態で貼合わされて設けられる支持片で、ロールペーパーの回転と支持状態を安定的且つ強固にする手段が図られるものである。
【００３０】
（９）デザイン性に優れている構造であること。
本発明のロールペーパーボックスによれば、下部貼合せブランク部と、裏面ブランク部と、底面ブランク部と、前面ブランク部と、上面ブランク部と、上部貼合せブランク部と、開閉カバー部と、が一枚の薄板紙から一体断裁される必要最小限の大きさと凹凸のないシンプルな形状で形成されると共に、銀行や新製品の安価な販売促進用の景品として、あるいは、キャラクターグッズや文具、雑貨として幅広く利用できるものである
【００３１】
（１０）使用後のリサイクル利用が図られること。
本発明のロールペーパーボックスによれば、紙製または合成樹脂製から成るロールペーパーボックスを、上部が開口する合成樹脂製の透明なカバーボックスに収納し、該ロールペーパーボックスとカバーボックスの間に形成される隙間空間に表示ボードを差し込むことで、ボード掲示機能を備えた事務用品としてや小型ダストボックス、ファッショングッズとしてリサイクル利用が図られるものである。
【００３２】
以上のように本発明におけるロールペーパーボックスは、従来のティッシュペーパーと同様に一般的に広く消費されるようになる（１）〜（１０）の全ての使用条件と解決手段を備えているものである。
【図面の簡単な説明】
【００３３】
【図１】本発明における請求項１記載のロールペーパーボックスの実施形態を示す全体説明図である。（実施例１）
【図２】本発明における請求項１記載のロールペーパーボックスの機能状態を示す説明図である。
【図３】本発明における請求項１記載のロールペーパーボックスの実施形態を示す断面説明図である。
【図４】本発明における請求項１記載のロールペーパーボックスの実施形態を示す組み立て手順図（その１）である。
【図５】本発明における請求項１記載のロールペーパーボックスの実施形態を示す組み立て手順図（その２）である。
【図６】本発明における請求項１記載のロールペーパーボックスの実施形態を示す組み立て手順図（その３）である。
【図７】本発明における請求項２記載のロールペーパーボックスの実施形態を示す説明図である。
【図８】本発明における請求項２記載のロールペーパーボックスの販売状態を示す説明図である。
【発明を実施するための形態】
【００３４】
本発明のロールペーパーボックスは、一枚の薄板紙から製造される収納ボックスと、一巻のロールペーパーと、から構成される使い捨てタイプのロールペーパーボックスであって、該ロールペーパーボックスの上面ブランク部に大口の開口部を設けることによって、ロールペーパーの巻き込みならびに詰りの回復作業を容易なものとし、開口部から引き出されるロールペーパーを開閉カバー部の補強フラップで上方から押し付けることによって、ロールペーパーの回転を阻止してミシン目スリットの切り離しを容易なものとし、前面ブランク部と裏面ブランク部の糊代フラップに設けられる貼合わせ支持片をロールペーパーの軸芯に差し込んだ状態で対向して当接させることによって、ロールペーパーの回転と支持状態を安定的且つ強固にする手段を採ったことを最大の特徴とする。以下、本発明に係るロールペーパーボックスの実施形態を、図面に基づいて説明する。
【００３５】
尚、本発明におけるロールペーパーボックスは、以下に述べる実施例の構成に特に限定されるものではなく、本発明の趣旨に逸脱しない範囲内において任意に変更されるものである。また図示される展開図は内側を上方に向けた状態を示すもので、以下左側を後方、右側を前方として定義付けて説明する。
【実施例１】
【００３６】
図１は、本発明における請求項１記載のロールペーパーボックスの実施形態を示す全体説明図であり、図１（ａ）は全体の展開図を示し、図１（ｂ）は開閉カバー部が閉まった状態を示し、図１（ｃ）は開閉カバー部が開いた状態を示す。
本発明のロールペーパーボックス１０は、下部貼合せブランク部３０と、裏面ブランク部４０と、底面ブランク部５０と、前面ブランク部６０と、上面ブランク部７０と、上部貼合せブランク部８０と、開閉カバー部９０と、一巻のロールペーパー２０と、から構成され、一枚の薄板紙から断裁加工と、折れ線加工と、貼合せ加工を施し、板厚０．５ｍｍ、幅１１５×奥行１１５×高さ１１５ｍｍ程の寸法形状を有する木材パルプ紙や再生紙で形成されて、一個単位毎に製造される使い捨てタイプのロールペーパーボックス１０である。
【００３７】
ロールペーパー２０は、パルプ紙をロール状に巻いたティッシュペーパーで形成されるもので、その他に利用されるものとしてキッチンペーパー、トイレットペーパー、コットンペーパー等がある。形状寸法は幅１１５×巻き径１１５ｍｍ程の円筒状のロール体を形成し、表面には一定間隔を空けてミシン目スリット２１が設けられる。
【００３８】
ミシン目スリット２１は、ロールペーパー２０の円周上表面に一定間隔を空けて引き出し方向と直交して設けられるもので、ミシン目穴部とミシン目止部の比率が３：１以上をもって形成されることによって、ロールペーパー２０がカッターを使用することなく一定間隔毎に容易に引き離すことができるものである。
【００３９】
下部貼合せブランク部３０は、裏面ブランク部４０の後方に配置され、上部貼合せブランク部８０と貼り合わされて、ロールペーパーボックス１０を形成するものである。
【００４０】
裏面ブランク部４０は、ロールペーパーボックス１０の後方に配置されるブランク部で、ロールペーパー２０を軸支する貼合わせ支持片４２を両側端中央位置に突設した糊代フラップ４１を有して、ロールペーパーボックス１０を形成するものである。
【００４１】
貼合わせ支持片４２，６２は、ロールペーパーボックス１０の裏面ブランク部４０と前面ブランク部６０の糊代フラップ４１，６１に設けられ、ロールペーパー２０の軸心２２を安定的且つ強固に支持するものであって、使用者が必要とする長さ分だけ自由に引き出すことができる使い勝手が良い回転繰り出し方式にすることで、使用量の適正化を図るものである。また、木材パルプ紙や再生紙で形成される板厚０．５ｍｍの支持片は強度的に弱いので、ロールペーパー２０を軸支する貼合せ面を対称形に複数枚貼合わせることで強度を補強し、さらに裏面ブランク部４０と前面ブランク部６０の貼合わせ支持片４２，４２と６２，６２同士をロールペーパー２０の軸芯２２に差し込んだ状態で対向して当接させることによって、最終的には複数枚の倍数の構成で補強される状態となってさらに強度を補強すると共に、対向して当接することによって貼合わせ支持片４２，６２の互いの倒れを防いで、ロールペーパー２０の回転と支持状態を安定的且つ強固にするものである。
【００４２】
また従来のロールペーパーボックスの支持片は、支持片同士を組み合わせたり、ブランク部に溝穴を設けその溝穴に支持片を差し込む構造であるため、機械化による大量生産を困難なものとし、さらに支持片が１枚の板紙で形成されることで、薄板状なものは支持強度が不足し、厚紙のものは材料費の高騰ならびに機械化による組立作業と製品のコストダウンを困難なものとするもので、現在利用されているティッシュペーパーと同様に、広く一般的に使用される様になる構造となるものではなかった。そこで、本発明のように貼り合わされた支持片をロールペーパー２０の軸芯穴を利用して支持する構造は、安定して強固であると共に廉価に製造することができるもので、従来のロールペーパーボックスの支持手段にない手段を採るものである。
【００４３】
底面ブランク部５０は、ロールペーパーボックス１０の底面に配置されるブランク部で、両側に側面フラップ５１を有して、ロールペーパーボックス１０を形成するものである。
【００４４】
前面ブランク部６０は、ロールペーパーボックス１０の前方に配置されるブランク部で、ロールペーパー２０を軸支する貼合わせ支持片６２を両側端中央位置に突設した糊代フラップ６１を有して、ロールペーパーボックス１０を形成するものである。
【００４５】
上面ブランク部７０は、ロールペーパーボックス１０の上面に開口部７３を有して配置されるブランク部で、両側に糊代フラップ７１を有して、ロールペーパーボックス１０を形成するものである。
【００４６】
開口部７３は、上面ブランク部７０の上面にロールペーパー２０を引き出す打ち抜きスリット７２によって形成される大口の開口口で、該大口の開口口に指先等が入ることによって、ロールペーパー２０を指先でゆっくり回転させながら巻き込みならびに詰りを容易に回復させることができるものである。
【００４７】
周縁部７４は、開口部７３が上面ブランク部７０に設けられることによって必然的に形成されるもので、左右の周縁部７４はロールペーパー２０のロールペーパーボックス１０外への飛び出しを防ぎ、前後の周縁部７４の前方には開閉カバー部９０の補強フラップ９１に設けられる可剥離性接着層９３aが一時期的に貼着される可剥離性接着層９３bが設けられる。また、図示はしていないが、ロールペーパー２０の繰り出し性を良くするために、開口部７３の周縁部７４には樹脂製のフィルムシートが貼設されるものである。
【００４８】
上部貼合せブランク部８０は、裏面ブランク部４０の前方に配置され、下部貼合せブランク部３０と貼り合わされて、ロールペーパーボックス１０を形成するものである。
【００４９】
開閉カバー部９０は、前方には可剥離性接着層９３ａを設ける補強フラップ９１を形成し、上部貼合せブランク部８０と折れ線９２を介して上下に回動自在に設けられるものである。該開閉カバー部９０は、ロールペーパー２０の上部を常に覆っているため、ロールペーパー２０の表面に空気中に浮遊する粉塵などが付着しづらいものであり、ロールペーパー２０を上方から下方に押し付けやすい構造としている。
【００５０】
補強フラップ９１は、相対する可剥離性接着層９３ａ,９３ｂが設けられることによって、出荷時の開閉カバー部９０の閉蓋を維持するものであって、さらに使用時は開口部７３から引き出されるロールペーパー２０を上方から押し付けることによって、ロールペーパー２０の回転を阻止してロールペーパー２０のミシン目スリット２１の切り離しを容易なものとするものである。
【００５１】
図２は、本発明における請求項１記載のロールペーパーボックスの機能状態を示す説明図であり、図２（ａ）は開閉カバー部が閉まった状態を示し、図２（ｂ）は開閉カバー部が開いた状態を示し、各部の名称とその構造上における機能ならびに特徴を記す。詳細は図示参照。
【００５２】
図３は、本発明における請求項１記載のロールペーパーボックスの実施形態を示す断面説明図であり、図３（ａ）は側面視の断面図を示す。
本発明のロールペーパーボックス１０は、一枚の薄板紙で必要最小限のコンパクトサイズの気密性の高い貼合わせ方式で形成され、また、開口部７３が大口であることから、開口部７３に指先を入れて巻き込みならびに詰りの回復作業を容易に行うことができると共に、その開口部７３を開閉カバー部９０で塞ぐことによって、ロールペーパー２０の露出を最小限のものとしてロールペーパー２０の表面に空気中に浮遊する粉塵などが付着しづらくし、さらにロールペーパー２０を上方から下方に押し付けることによって、ロールペーパー２０の回転を阻止してロールペーパー２０のミシン目スリット２１の切り離しを容易なものとするものである。
【００５３】
図３（ｂ）は、正面視の断面図を示す。
本発明のロールペーパーボックス１０は、貼合せ支持片６２が設けられる裏面ブランク部４０の糊代フラップ４１と前面ブランク部６０の糊代フラップ６１とを、底面ブランク部５０の側面フラップ５１と上面ブランク部７０の糊代フラップ７１とで覆って張り合わされるため、気密性の高い貼合わせ方式のロールペーパーボックス１０が形成され、ロールペーパー２０を軸支する貼合わせ支持片４２,４２と６２，６２同士を対称形に貼合わせることで強度を補強し、さらに前面ブランク部６０と裏面ブランク部４０の貼合わせ支持片４２,４２と６２，６２同士をロールペーパー２０の軸芯２２に差し込んだ状態で対向して当接させることによって、最終的に４枚補強される状態となってさらに強度が補強されると共に、対向して当接させることによって貼合わせ支持片４２と６２の互いの倒れを防いで、ロールペーパー２０の回転と支持状態を安定的且つ強固にするものである。
【００５４】
図４は、本発明における請求項１記載のロールペーパーボックスの実施形態を示す組み立て手順図（その１）である。
（１）一枚の薄板紙を断裁加工ならびに折れ線加工を施して、図に示すような展開形状に加工する。
（２）裏面ブランク部４０の糊代フラップ４１と前面ブランク部６０の糊代フラップ６１の両側端中央位置に突設される４箇所の貼合せ支持片４２，４２と６２，６２を貼り合わせ、次に開閉カバー部９０の補強フラップ９１を外側に折り込んで貼り合わせる。
【００５５】
図５は、本発明におけるロールペーパーボックスの実施形態を示す組み立て手順図（その２）である。
（３）各ブランクを連結する折れ線９４を内側に折り込んだ後、図示されるようボックス形状に貼り合せ、さらに開閉カバー部９０を上面ブランク部７０に被せて、補強フラップ９１に設けられている可剥離性接着層９３a、９３ｂを仮接着させて閉蓋する。
（４）ロールペーパー２０をロールペーパーボックス１０の側面方向から挿入する。
（５）裏面ブランク部４０の糊代フラップ４１と前面ブランク部６０の糊代フラップ６１の両側端中央位置に突設される４箇所の貼合せ支持片４２、６２を、ロールペーパー２０の軸芯２２に差し入れる。
（６）底面ブランク部５０の側面フラップ５１を糊代フラップ４１，６１に貼り合せ、さらにその上から上面ブランク部７０の側面フラップ７１を上から重ねて貼り合せて、販売形状の箱体にする。
【００５６】
図６は、本発明におけるロールペーパーボックスの実施形態を示す組み立て手順図（その３）である。
（７）販売形状の箱体の状態から開閉カバー部９０を上方に回動させて開き、上面ブランク部７０の大口の開口部７３を形成している打ち抜きスリット７２を居抜く。
（８）上面ブランク部７０の大口の開口部７３から露出しているロールペーパー２０を指で後方に押して回転させながら、ロールペーパー２０の引き出し先端を回転頂部位置に停止させ、そのロールペーパー２０の先端部を引き出した状態で再び開閉カバー部９０を下方に回動させて閉める。
（９）引き出されたロールペーパー２０を、開閉カバー部９０と上面ブランク部７０とが合わさった面の隙間から適宜量引き出す。その際、ロールペーパー２０のミシン目スリット２１を開閉カバー部９０の先端よりやや前方に引き出した状態で引き離すと、次回取り出すときにロールペーパー２０の先端部が露出しているため引き出しやすい状態にすることができる。使用時は、開閉カバー部９０の補強フラップ９１の上方から下方に向かってロールペーパー２０を押さえ込み、ロールペーパー２０の回転を止めた状態で露出しているロールペーパー２０を水平に引っ張り、ロールペーパー２０のミシン目スリット２１を破って引き離すもので、そのロールペーパー２０の円周上表面に一定間隔を空けて設けられるミシン目スリット２１のミシン目穴部とミシン目止部の比が略３：１以上をもって形成されていることによって、力を入れることなく容易に引き離すことができる。
（１０）何らかの要因でロールペーパー２０が逆回転して巻き込みならびに詰った場合は、上面ブランク部７０に設けられる大口の開口部７３に指先を入れてロールペーパー２０を図示のように後方にゆっくり回転させながら巻き込みならびに詰りの回復作業を行う。
【実施例２】
【００５７】
図７は、本発明における請求項２記載のロールペーパーボックスの実施形態を示す説明図であり、図７（ａ）は使用状態の分解斜視図を示す。
本発明のロールペーパーボックス１０は、紙製または合成樹脂製から成るロールペーパーボックス１０を、上部が開口する合成樹脂製の透明なカバーボックス９５に収納し、該ロールペーパーボックス１０とカバーボックス９５の間に形成される隙間空間９７に表示ボード９６を差し込んで、ボード掲示機能を備えてリサイクル利用を図ることができるものである。
【００５８】
図７（ｂ）は、使用後のリサイクル状態の全体図を示す。
ロールペーパーボックス１０とカバーボックス９５の間に形成される隙間空間９７に、フォトフレームや写真、ブロマイド、カレンダー、行き先表示カード等の表示ボード９６を差し込んで、ボード掲示機能を有する事務用品として、あるいは、小型ダストボックスやファンシーグッズとして利用することができるものである。
【００５９】
図８は、本発明における請求項２記載のロールペーパーボックスの販売状態を示す説明図であり、図８（ａ）はロールペーパーボックスがカバーボックスに収納されて販売される状態を示す全体斜視図である。
本発明のロールペーパーボックス１０は、紙製または合成樹脂製から成るロールペーパーボックス１０を、上部が開口する合成樹脂製の透明なカバーボックス９５に収納し、該ロールペーパーボックス１０とカバーボックス９５の間に形成される隙間空間９７に表示ボード９６を差し込んで販売されるものである。
【００６０】
図８（ｂ）は、ロールペーパーボックスが単体でまとめて梱包されて販売される状態を示す全体斜視図である。
ロールペーパーボックス１０が単体でまとめて梱包されて販売されることによって、コンパクトに梱包されて持ち運びが容易である上、安価なロールペーパーボックスが提供されるものである。
【産業上の利用可能性】
【００６１】
本発明におけるロールペーパーボックスは、主にティッシュペーパー用として使用されるものであるが、その他の利用用途としてはトイレットペーパー、キッチンペーパー、コットンペーパーとして利用することができるもので、本発明における「ロールペーパーボックス」の産業上の利用可能性は極めて大であると解する。
【符号の説明】
【００６２】
１０    ロールペーパーボックス
２０    ロールペーパー
２１    ミシン目スリット
２２    軸芯
３０    下部貼合せブランク部
４０    裏面ブランク部
４１    糊代フラップ
４２    貼合わせ支持片
５０    底面ブランク部
５１    側面フラップ
６０    前面ブランク部
６１    糊代フラップ
６２    貼合わせ支持片
７０    上面ブランク部
７１    側面フラップ
７２    打ち抜きスリット
７３    開口部
７４    周縁部
８０    上部貼合せブランク部
９０    開閉カバー部
９１    補強フラップ
９２    折れ線
９３ａ  可剥離性接着層
９３ｂ  可剥離性接着層
９５    カバーボックス
９６    表示ボード
９７    隙間空間
９８    開口部
【要約】
【課題】従来から日常的に使用されているティッシュペーパーに替わって、省スペース化と、使い勝手の良さや使用量の適正化と、商品単価の低廉化を図る一枚の薄板紙から一個単位毎に製造される使い捨てタイプのロールペーパーボックスの提供を図る。
【解決手段】ロールペーパーボックスの上面ブランク部に大口の開口部を設けることによって、ロールペーパーの巻き込みならびに詰りの回復作業を容易なものとし、開口部から引き出されるロールペーパーを開閉カバー部の補強フラップで上方から押し付けることによって、ロールペーパーの回転を阻止してミシン目スリットの切り離しを容易なものとし、前面ブランク部と裏面ブランク部の糊代フラップに設けられる貼合わせ支持片同士をロールペーパーの軸芯に差し込んだ状態で対向して当接させることによって、ロールペーパーの回転と支持状態を安定的且つ強固にする手段を採る。
【選択図】図１【図１】
0005232961.tif 000002
【図２】
0005232961.tif 000003
【図３】
0005232961.tif 000004
【図４】
0005232961.tif 000005
【図５】
0005232961.tif 000006
【図６】
0005232961.tif 000007
【図７】
0005232961.tif 000008
【図８】
0005232961.tif 000009